(57)【特許請求の範囲】
【請求項１】
基板と、
該基板上に配置された圧電トランスを有する高電圧発生部と、
同じく該基板上に配置された上記高電圧発生部によって駆動されるコロナ放電器と、
基板、高電圧発生部及びコロナ放電器を収容するケーシングと、
を具備するコロナ放電装置であって、
該コロナ放電器が、放電面を外側にむけて、上記ケ−シングの一側面をなすように該ケ−シングに取りつけられており、
上記ケ−シング内に、基板、並びに、高電圧発生部及びコロナ放電器と基板との接続端子を埋没させるように樹脂ポッティングが施されていることを特徴とするコロナ放電装置。
【発明の詳細な説明】
【０００１】
【産業上の利用分野】
本発明は、オゾン発生装置（オゾナイザ）等として用いられるコロナ放電装置に関する。とくには、小型で、輻射ノイズが低減されたコロナ放電装置に関する。
【０００２】
【従来の技術】
コロナ放電装置は、放電器（素子）とこの素子を駆動する高電圧発生部とから構成される。放電素子には、電極が対向して配置されており、この電極に高電圧発生部から高圧電圧を印加して、電極周辺に放電を発生させる。オゾナイザにあっては、この放電によって、空気中の酸素をオゾンに変換する。発生したオゾンは、脱臭や殺菌等に用いられる。
【０００３】
図２は、従来のコロナ放電装置の全体構成を示す斜視図である。
図２のコロナ放電装置は、大きく別けて、オゾン発生素子４２と、高電圧発生部４３と、両者を結ぶ高電圧用電線４５とから構成されている。高電圧発生部４３は、巻線トランス４７、発振回路４９、ケ−シング５１から構成されている。
発振回路４９で発生した高周波電圧は、巻線トランス４７で昇圧され、高電圧用電線４５を通じてオゾン発生素子４２に送られる。
【０００４】
【発明が解決しようとする課題】
図２の従来のコロナ放電装置における問題点は以下の２点である。
▲１▼装置が大型となっていた。
コロナ放電装置における昇圧用の巻線トランスは、２次側の巻数が１０００以上と非常に多くなるため、高電圧発生部全体の小型化が困難であった。一方、オゾン発生素子はその取付け場所が、例えば脱臭装置の場合には空気流路の側面等のように限定される。そのような設置場所の限定されたオゾン発生素子と、かなり大型の高電圧発生部とを一体化して実装することは困難であったため、結局高電圧発生部とオゾン発生素子を別のケ−シング（取付け部材）に取付けることとなり、一層コロナ放電装置全体がかさ張るものとなっていた。
【０００５】
▲２▼高電圧用電線よりの輻射ノイズが問題となっていた。
上述のとおり、オゾン発生素子と高電圧発生部とを離れて配置せざるを得なかったので、両者を結ぶ高電圧用電線の長さが長くなっていた。図２の高電圧発生装置４１において、２本の高電圧用電線４５、オゾン発生素子４２、巻線トランス４７で形成される高周波放電電流Ｉの流れるル−プ内の面積をＳとすれば、このル−プから十分遠方における電界Ｅは式
Ｅ＝ｋ・Ｉ・Ｓ  （Ｖ／ｍ）  ｋ：比例定数
で表される。
【０００６】
したがって、高電圧用電線の長さが長くなってル−プの面積Ｓが大きくなればなるほど、放射される輻射ノイズは大きくなることになる。この輻射ノイズによる機器の誤作動防止のために、電線のシ−ルドや機器のシ−ルドに苦心していた。またシ−ルド対策のために装置の値段が高くなっていた。
【０００７】
本発明は、小型で、輻射ノイズの低減された高電圧発生装置を提供することを目的とする。さらに、湿気や振動に対して信頼性・耐久性のある高電圧発生装置を提供することを目的とする。
【０００８】
【課題を解決するための手段】
上記課題を解決するため、本発明のコロナ放電装置は、  基板と、  該基板上に配置された圧電トランスを有する高電圧発生部と、  同じく該基板上に配置された上記高電圧発生部によって駆動されるコロナ放電器と、  基板、高電圧発生部及びコロナ放電器を収容するケーシングと、  を具備するコロナ放電装置であって、
該コロナ放電器が、放電面を外側にむけて、上記ケ−シングの一側面をなすように該ケ−シングに取りつけられており、
上記ケ−シング内に、基板、並びに、高電圧発生部及びコロナ放電器と基板との接続端子を埋没させるように樹脂ポッティングが施されていることを特徴とする。
【０００９】
【作用】
巻線トランスを圧電トランス化することによって小型化された高電圧発生部を、コロナ放電器と一体的にひとつの基体上に配置したので、実装スペ−スが格段に小さくてすむようになる。また、高電圧発生部とコロナ放電器とを非常に近接して配置できるので、上述の高周波電流の流れるル−プ面積Ｓを小さくすることが可能となるため、輻射ノイズを低減することができる。
【００１０】
なお、本発明が対象とするコロナ放電器には、オゾン発生素子、浮遊素子、耐電素子、ヒーター素子等が含まれる。また、基体には、基板、ケ−シング等が含まれる。
【００１１】
【実施例】
以下、本発明の実施例を説明する。
図１は、本発明の一事例に係るコロナ放電装置（オゾナイザ）の構成を示す図である。（Ａ）は断面図、（Ｂ）は外観の斜視図である。
図１のコロナ放電装置１は、大きく分けて、ケ−シング３、高電圧発生部５、オゾン発生素子７、基板９の各部より構成されている。高電圧発生部５は、発振回路基板１１と圧電トランス（素体）２３等からなっている。
【００１２】
ケ−シング３は、プラスチック射出成形品等の、上面が開放されている箱上の部材である。ケ−シング３の図の右側の側面は開口部３９となっており、ここから、後述するオゾン発生素子７の放電面３３が、ケ−シング３外に露出する。開口部３９の両端のケ−シング側縁には、溝３７が設けられており、オゾン発生素子基板３１の端部がはまり込んで、オゾン発生素子７がケ−シング３に対して位置決めされる。なお、その結果、基板９や高電圧発生部５も、ケ−シング３に対して位置決めされる。
【００１３】
高電圧発生部５の発振回路基板１１は、セラミック製等の薄板であり、表面には、ＩＣや抵抗、コンデンサ等の素子１３が実装されている。発振回路基板の表面には、プリント配線（図示されず）が描かれている。発振回路基板１１は、立てられた状態で、ハンダ付けされた端子１７によって、基板９に取りつけられている。
【００１４】
圧電トランスの素体２３は、高電圧発生部５の昇圧手段である圧電トランスの本体である。圧電トランス素体２３の表面には、公知のように、入力電極や出力電極が設けられており、圧電トランス素体２３の圧電現象によって昇圧が行われる。圧電トランス素体２３は、断面の長手方向に垂直に立てられて、入力用等の端子２５によって、基板９に取付けられている。圧電トランス素体２３の上部及び側部には、カバ−（プラスチック製等）２１がかぶされている。このカバ−２１は、圧電トランス素体２３の気密封止、サポ−ト等の役割を果たす。
【００１５】
コロナ放電器の一種であるオゾン発生素子７は、セラミックス製のオゾン発生素子基板３１の表面に複数の電極（図示されず）よりなる放電面３３を設けて構成されている。このようなオゾン発生素子の例は、特開平４−３７０６８８等に開示されている。オゾン発生素子７は、断面の長手方向に垂直に立てられて、電極接続端子３５によって、基板９に取付けられている。また、上述のように、オゾン発生素子７の端部は、ケ−シング３の溝３７にはめ込まれている。オゾン発生素子７の放電面３３は、ケ−シング３の開口部３９から外に露出している。したがって、放電面３３で発生するオゾンが、ケ−シング外の空気流路等に供給される。
【００１６】
基板９は、プラスチック製等の平板である。その表裏面には、プリント配線（図示されず）が描かれている。プリント配線は、各端子１７、２５、３５にハンダ付けされている。基板９上には、各種の素子１５、２９も配置されている。
【００１７】
ケ−シング３内には、基板、並びに、高電圧発生部及びコロナ放電器と基板の接続端子を埋没させるように、樹脂ポッティングが施されている。このため、各配線・端子や圧電トランスの電極部が気密封止されるので、湿気や振動による故障が防止される。
【００１８】
図１のコロナ放電装置においては、発振回路基板１１上の発振回路において低圧高周波電圧が発生し、これが高電圧発生部５の圧電トランス素体２３で昇圧される。昇圧された高圧高周波電圧は、端子や基板９のプリント配線（図示されず）を通ってオゾン発生素子７の放電面３３の放電電極（図示されず）に印加され、放電面３３で放電が生じ、オゾンが発生する。発生したオゾンは、ケ−シング３外の空気流路等に供給される。
【００１９】
以上をまとめると、図１の高電圧発生装置は、基板と、基板上に配置された圧電トランスを有する高電圧発生部と、同じく該基板上に配置された上記高電圧発生部によって駆動されるコロナ放電器と、基板、高電圧発生部及びコロナ放電器を収容するケ−シングと、を具備する。
【００２０】
そのため、基板上に近接して高電圧発生部とコロナ放電器を配置でき、コロナ放電装置の小型化と輻射ノイズの低減が可能となる。
【００２１】
また、図１の高電圧発生装置は、上記圧電トランス及びコロナ放電器が平板上に形成されており、上記基体上に並列に立てられて配置されている。
そのため、より一層、実装スペ−スを小さく、かつ配線長さを短くすることができる。
【００２２】
図１の高電圧発生装置は、上記コロナ放電器が平板上に形成されており、該コロナ放電器が、放電面を外側にむけて、上記ケ−シングの一側面をなすように該ケ−シングに取りつけられている。
そのため、コンパクトな一体型高電圧発生装置を、様々脱臭装置等の上位装置の部分に取り付けることができ、そのような上位装置の小型化が可能となる。
【００２３】
【発明の効果】
以上の説明から明らかなように、本発明の高電圧発生装置は以下の効果を発揮する。
▲１▼  ひとつの基体上に一体的に高電圧発生部とコロナ放電器が配置されているので、高電圧発生装置の実装スペ−スを小さくすることができ、装置の小型化が可能となる。
【００２４】
▲２▼  高電圧発生部とコロナ放電器とを非常に近接して配置できるので、高周波電流の流れるル−プ面積Ｓを小さくすることが可能となるため、輻射ノイズを低減することができる。
【００２５】
▲３▼  高電圧発生装置をケーシング内に収め、一体的に樹脂ポッティングする場合には、各配線・端子や圧電トランスの電極部が気密封止されるので、湿気や振動による故障が防止される。
【図面の簡単な説明】
【図１】本発明の一実施例に係るコロナ放電装置（オゾナイザ）の構成を示す図である。（Ａ）は断面図、（Ｂ）は外観の斜視図である。
【図２】特開平４−４５８２３  号に開示されている従来のコロナ放電装置の全体構成を示す斜視図である。
【符号の説明】
１  コロナ放電装置                ３  ケーシング
５  高電圧発生部                  ７  オゾン発生素子
９  基板                        １１  発振回路基板
１３  素子                        １５  素子
１７  端子                        ２１  カバー
２３  圧電トランス素体            ２５  端子
２９  素子                        ３１  オゾン発生素子基板
３３  放電面                      ３５  端子
３７  溝                          ３９  開口部
４１  コロナ放電装置              ４２  オゾン発生素子
４３  高電圧発生部                ４５  高電圧用電線
４７  巻線トランス                ４９  発振回路
５１  ケーシング
【図１】
0003572677.tif 000002
【図２】
0003572677.tif 000003